(57)【特許請求の範囲】
【請求項１】
補修壁面に対向して護岸に係脱可能に係止する支持枠と、該支持枠に着脱可能に支持され、前記補修壁面に上、下の前面シール材を介して当接する前面パネルと、閉塞材支持体に横向きの状態で縦方向に列設することによりパネル状をなし、各々が進退可能かつ所望の位置に固定可能で、先端面が側面シール材を介して前記補修壁面に当接する複数本の閉塞材を有し、前記支持枠の左右両側に設ける側面閉塞パネルとにより、前記補修壁面との間に補修材を充填し固化する空間を形成する護岸補修用構造体であって、該空間に前記前面パネルの下部側と前記補修壁面との間に形成する下方の隙間から前記補修材を加圧充填するようにした護岸補修用構造体。
【請求項２】
前記支持枠は、作業員が搭乗可能な床部を備えていることを特徴とする請求項１記載の護岸補修用構造体。
【請求項３】
前記支持枠から前方に突出させた支持腕は、前記護岸の上側面に係脱可能に係止することを特徴とする請求項１記載の護岸補修用構造体。
【請求項４】
前記支持腕は、前後方向に伸縮可能であることを特徴とする請求項３記載の護岸補修用構造体。
【請求項５】
前記支持腕は、前記支持枠に対して上方向に回動可能であることを特徴とする請求項３記載の護岸補修用構造体。
【請求項６】
前記閉塞材は角材に形成し、上面及び下面にはほぞ又は溝のいずれかを形成してあることを特徴とする請求項１記載の護岸補修用構造体。
【請求項７】
護岸に係止する支持枠に着脱可能に設けた前面パネルを補修壁面に上、下シール材を介して当接し、パネル状に縦方向に列設し、各々が進退可能かつ所望の位置で固定可能な複数本の閉塞材からなる側面閉塞パネルを前記支持枠の左右両側に設け、前記閉塞材の各々の先端側は側面シール材を介して前記補修壁面に当接することにより該補修壁面との間に空間を形成し、該空間に前記前面パネルの下部側と前記補修壁面との間に形成する下方の隙間から補修材を加圧充填して固化させる護岸の補修方法。
【発明の詳細な説明】
【技術分野】
【０００１】
本発明は、港湾の岸壁、或いは海岸や河川の護岸が老朽化により、又は波或いは流水の侵食によって破壊された状態を短期間で補修することのできる護岸補修用構造体及び護岸の補修方法に関する。
【背景技術】
【０００２】
例えば、港湾の岸壁はコンクリートの経年劣化や波力により次第に侵食されて壁面の一部が抉られたように大きく破壊される。このような事象は、河川の護岸でも生じており、岸壁や道路の崩壊を招くことになる。そこで、破壊箇所を補修する技術として、護岸１の決めた位置に型枠３を固定し、型枠３と護岸１との間に生コンクリートを打設し、生コンクリートが硬化した後、型枠３を外して護岸１を補修する工法において、一定の間隔で固定パイプ８を固定した型枠３を決めた位置に配設した後、固定パイプ８に杭９を打ち込み、杭９を介して型枠３を所定の位置に固定し、型枠３と護岸１との間に生コンクリートを打設する護岸の補修工法が提案されている（特許文献１）。
【先行技術文献】
【特許文献】
【０００３】
【特許文献１】第２８６８７２５号特許公報
【発明の概要】
【発明が解決しようとする課題】
【０００４】
上述した特許文献１の補修工法は、構造が大型で固定的に設置するものであることから、コストが嵩む、工事に長期間を要する、補修する護岸に固定的に設置するため他の補修壁面の補修工事に対応できないといった幾多の欠点がある。
【０００５】
本発明は上述した従来技術の欠点に鑑みなされたもので、移動可能であるので複数の補修壁面の補修工事に使用できるし、構造が簡単で設置も容易なので工期を大幅に短縮することができると共に、工費も大幅に低減することができる護岸補修用構造体及び護岸の補修方法を提供することを目的とする。
【課題を解決するための手段】
【０００６】
上述した課題を解決するための請求項１に係る本発明を構成する手段は、補修壁面に対向して護岸に係脱可能に係止する支持枠と、該支持枠に着脱可能に支持され、前記補修壁面に上、下の前面シール材を介して当接する前面パネルと、閉塞材支持体に横向きの状態で縦方向に列設することによりパネル状をなし、各々が進退可能かつ所望の位置に固定可能で、先端面が側面シール材を介して前記補修壁面に当接する複数本の閉塞材を有し、前記支持枠の左右両側に設ける側面閉塞パネルとにより、前記補修壁面との間に補修材を充填し固化する空間を形成する護岸補修用構造体であって、該空間には前記前面パネルの下部側と前記補修壁面との間に形成する隙間から前記補修材を加圧充填するようにしたことにある。
【０００７】
そして、前記支持枠は、作業員が搭乗可能な床部を備えているとよい。
【０００８】
また、前記支持枠から前方に突出させた支持腕は、前記護岸の上側面に係脱可能に係止する構成にするとよい。
【０００９】
また、前記支持腕は、前後方向に伸縮可能に構成するとよい。
【００１０】
更に、前記支持腕は、前記支持枠に対して上方向に回動可能に構成するとよい。
【００１１】
また、前記閉塞材は角材に形成し、上面及び下面にはほぞ又は溝のいずれかを形成するとよい。
【００１２】
また、請求項７に係る発明を構成する手段は、護岸に係止する支持枠に着脱可能に設けた前面パネルを補修壁面に上、下シール材を介して当接し、パネル状に縦方向に列設し、各々が進退可能かつ所望の位置で固定可能な複数本の閉塞材からなる側面閉塞パネルを前記支持枠の左右両側に設け、前記閉塞材の各々の先端側は側面シール材を介して前記補修壁面に当接することにより該補修壁面との間に空間を形成し、該空間に前記前面パネルの下部側と前記補修壁面との間に形成する下方の隙間から補修材を加圧充填して固化させるようにしたことにある。
【発明の効果】
【００１３】
本発明は上述の如く構成したから、下記の諸効果を奏する。
（１）護岸に設置する支持枠に設けた前面パネルと側面閉塞パネルで補修壁面との間に空間を形成し、空間に水中グラウトを充填固化することにより補修壁面の補修を行うので、海底や川底に杭打ちするという大掛かりな作業が不要で簡単であるし、工期も従来技術に比して大幅に短縮できる。
（２）護岸補修用構造体は他の補修壁面の補修作業にも使用が可能であるし、護岸等への固定作業は地上で行うので、工事費の大幅な節減、工期の短縮、安全性の確保ができる。
（３）側面閉塞パネルは複数本の閉塞材を進退させて凹凸のある補修壁面に当接するから、高い閉塞性を得ることができるし、補修が必要な箇所に限定した無駄の無い補修作業を行うことができる。
（４）支持枠に作業員が搭乗可能な床部を設けてあるから、補修作業を安全に、効率良く行うことができる。
（５）支持枠は前方に突出させた支持腕により護岸に係脱可能に係止する構成にしたから、支持枠の固定作業が容易であるし、確実に行うことができるので安全性にも優れている。
（６）支持枠に設ける支持腕は前後方向に伸縮可能に構成することにより、護岸の上側面と補修壁面とに間隔がある場合にも対応できる。
（７）支持腕は支持枠に対して上方向に回動可能に構成することにより、護岸の上側面や補修壁面が傾斜している場合にも支持枠を確実、かつ安全に設置することができる。
（８）閉塞材は角材に形成し、上面及び下面にほぞ又は溝のいずれかを形成し、上下の閉塞材を嵌合する構成にしたから、高い水密性を得られることで空間に海水や河川水が浸入するのを可及的に防止し、また排水作業も最小限になるので作業効率を高めることができる。
【図面の簡単な説明】
【００１４】
【図１】本発明の実施の形態に係る護岸補修用構造体を分解して示す構成説明図である。
【図２】護岸補修用構造体の平面図である。
【図３】護岸補修用構造体の左側面図である。
【図４】側面閉塞パネルの部分拡大説明図である。
【図５】側面閉塞パネルを構成する閉塞材の説明図である。
【発明を実施するための形態】
【００１５】
以下、本発明の実施の形態を図面に基づき詳述する。図１において、１は護岸Ｓに係止する支持枠を示し、該支持枠１は６枚の鋼板パネル２Ａ、２Ａ、・・を連結して形成した四角形の床部２と、該床部２の前側両角隅に立設した左右一対の前縦支柱３、３と、該前縦支柱３、３の上端間に架設した前連結材４と、該前連結材４、床部２及び左右の前縦支柱３、３間に略十字状に連結した格子材５、５、・・と、床部２の後側両角隅に立設した左右一対の後縦支柱６、６と、該後縦支柱６、６の上端間に架設した後連結材７、７と、前縦支柱３と後縦支柱６の上端間に架設した横連結材８、８とから立方体に構成してある。
【００１６】
９、９は前記支持枠１を補修壁面Ｒに対面した状態で護岸Ｓに固定するための鋼材からなる左右一対の支持腕を示す。該各支持腕９は先端側９Ａを前連結材４より前方に突出した状態で支持枠１の上部に溶接等の固定手段により固定してある。そして、該先端側９Ａにはボルト穴９Ｂ、９Ｂが形成してあり、アンカーボルト１０によって護岸Ｓの上側面に着脱可能に固定するようになっている。また、支持枠１の下端側もアンカーボルト１０によって護岸Ｓに固定する。
【００１７】
１１は護岸Ｓの補修壁面Ｒに対面するように支持枠１の前側に設けた前面パネルを示す。該前面パネル１１は例えば合板からなり、図示しない係着具で支持枠１に着脱可能に係着してある。１２、１２は該前面パネル１１の前面１１Ａの上端及び下端に貼着した前面シール材で、該各前面シール材１２は例えばゴム、不織布、フェルト等からなり前面パネル１１と凹凸のある補修壁面Ｒとの間を閉塞するものである。
【００１８】
１３、１３は支持枠１の左右側面に設けた側面閉塞パネルを示す。１４は該各側面閉塞パネル１３を構成する閉塞材支持体で、閉塞材支持体１４は前記横連結材８と床部２との間に連結され、前縦支柱３との間に空隙を存する前支持材１４Ａと、該前支持材１４Ａの後方に配設した２本の中間支持材１４Ｂ、１４Ｃと、該中間支持材１４Ｃの後方に配設した後支持材１４Ｄと、後述する閉塞材１６を進退可能に挟持すべく前記中間支持材１４Ｂと対向して床部２と横連結材８との間に立設した押え材１４Ｅ、１４Ｆとから構成してある。
【００１９】
１５、１５、・・・は前記中間支持材１４Ｃに縦方向に列設した複数の凹凸調整シリンダで、該各凹凸調整シリンダ１５は軸線を水平方向に向けて中間支持材１４Ｃに固着した支持筒１５Ａと、該支持筒１５Ａに螺装した設定ねじ１５Ｂと、支持筒１５Ａに進退可能に挿装され、該設定ねじ１５Ｂによって所望の位置に固定される調整ロッド１５Ｃと、該調整ロッド１５Ｃの先端に設けた皿状の当接盤１５Ｄと、調整ロッド１５Ｃの後端に設けたストッパー部材１５Ｅとから構成してある。
【００２０】
１６、１６、・・は前記閉塞材支持体１４に支持させた複数本の閉塞材を示す。該各閉塞材１６は前端面を壁当接面１６Ａ、後端面を押動面１６Ｂ、上面を上摺接面１６Ｃ、下面を下摺接面１６Ｄとする角材からなり、上摺接面１６Ｃにはほぞ１６Ｅ、下摺接面１６Ｃには溝１６Ｆが形成してある。そして、各閉塞材１６は閉塞材支持体１４と支持枠１の前縦支柱３及び押え材１４Ｅ、１４Ｆとの間に前後方向に摺動可能に挿装し、かつ上下に位置する閉塞材１６、１６は溝１６Ｆとほぞ１６Ｅを嵌合し、下摺接面１６Ｄと上摺接面１６Ｃを当接して縦方向に列設することで全体が水密性を有するパネル状を形成している。
【００２１】
１７は前記閉塞材１６、１６、・・の壁当接面１６Ａと補修壁面Ｒとの間に挟装する側面シール材である。該側面シール材１７は前面シール材１２と同じ材料からなり、側面閉塞パネルの縦方向長さカバーできる長さの帯状に形成してある。
【００２２】
本実施の形態に係る護岸補修用構造体は上述の構成からなるもので、以下にその作用について説明する。護岸Ｓの補修壁面Ｒに支持枠１を対向させ、上下の前面シール材１２、１２を介して前面パネル１１を補修壁面Ｒに圧接する状態で配置し、アンカーボルト１０で支持腕９、９を護岸Ｓの上側面に固定する。この作業は作業員が床部２の上で行うことができるから、安全性に優れているし、作業も効率的に行うことができる。
【００２３】
次に、側面閉塞パネル１３の凹凸調整シリンダ１５を作動する。即ち、各調整ロッド１５Ｃを前方に進出させて閉塞材１６を後方から押動し、壁当接面１６Ａを補修壁面Ｒに圧接させる。補修壁面Ｒは凹凸状をなしているので、各調整ロッド１５Ｃを押動して閉塞材１６を凹凸に対応して進出させることで壁当接面１６Ａを当接させ、調整ねじ１５Ｂで支持筒１５Ａに固定することで、補修壁面Ｒの左右両側を閉塞する。なお、閉塞材１６の壁当接面１６Ａと壁面との間には側面シール材１７を介装することで、海水の浸入を防止する高い液蜜性を持っている。
【００２４】
かくして、前面パネル１１と側面閉塞パネル１３によって、補修壁面Ｒを上下、左右から囲繞した空間Ａが形成されるから、この空間Ａに下側から水中グラウト（モルタル）Ｇを加圧充填する。空間Ａ内の空気と残留している海水は上方から押出し、空間Ａ内に水中グラウトＧを完全に充填して固化させることにより補修壁面Ｒの補修作業が完了する。作業終了後は、調整ねじ１５Ｂを緩めて調整ロッド１５Ｃと閉塞材１６を後退させて補修壁面Ｒから離間させ、アンカーボルト１０を護岸Ｓの上側面から抜き取ることにより支持枠１を撤去する。
【００２５】
以上のとおり、支持枠１は護岸Ｓの補修壁面Ｒの補修作業が完了したら撤去し、他の補修壁面の補修作業に使用することが可能であり、護岸補修に要する工事費を従来と比較して大幅に節減することができる。
【００２６】
なお、支持腕は、前後方向に伸縮可能に構成することで、護岸Ｓの上側面がアンカーボルト１０を螺挿するのに好適な位置を選定できる。
【００２７】
また、支持腕は支持枠に対して上方向に回動可能に構成することで、護岸の上側面や補修壁面が傾斜している現場に対応することができる。
【符号の説明】
【００２８】
１        支持枠
２        床部
１１      前面パネル
１２      前面シール材
１３      側面閉塞パネル
１６      閉塞材
１６Ａ    先端面
１７      側面シール材
Ａ        空間
Ｇ        補修材
Ｒ        補修壁面
Ｓ        護岸
【図１】
0005985895.tif 000002
【図２】
0005985895.tif 000003
【図３】
0005985895.tif 000004
【図４】
0005985895.tif 000005
【図５】
0005985895.tif 000006